(57)【要約】【課題】背面筐体の重量増を少なくしつつ、局所的な外力に強く、液晶表示装置と背面筐体との間に配置されたインバータなどの制御回路基板や液晶表示装置内にある部品を保護することが可能な表示装置構造を提供することを目的とする。【解決手段】背面筐体３は、筐体平面部３ａと、筐体平面部３ａと段差を有する筐体平面部３ｂと、筐体立上り部３ｃとを有し、補強板５は、補強板平面部５ａと段差を有する補強板平面部５ｂと、補強板立上り部５ｃとを有し、補強板平面部５ａと補強板平面部５ｂは、筐体立上り部３ｃ内面側と補強板立上り部５ｃとが所定の間隔Ｌ１が空くように、筐体平面部３ａと筐体平面部３ｂの内面側にそれぞれ固定するようにした。【選択図】図２
2006189543.tif 000002
【特許請求の範囲】
【請求項１】
前面に表示面を有する表示装置と、前記表示装置が収納される背面筐体と、前記背面筐体を補強する補強板とを備え、前記背面筐体は、第１の筐体平面部と、前記第１の筐体平面部と段差を有する第２の筐体平面部と、前記第１の筐体平面部と前記第２の筐体平面部との間に設けられる筐体立上り部とを有し、前記補強板は、第１の補強板平面部と段差を有する第２の補強板平面部と、前記第１の補強板平面部と前記第２の補強板平面部との間に設けられる補強板立上り部とを有し、前記第１の補強板平面部と前記第２の補強板平面部は、前記筐体立上り部内面側と前記補強板立上り部とが所定の間隔が空くように、前記第１の筐体平面部と前記第２の筐体平面部の内面側にそれぞれ固定することを特徴とする表示装置構造。
【請求項２】
第２の筐体平面部および筐体立上り部が第１の筐体平面部を挟み背面筐体の略左右対称の位置に配置され、補強板がそれぞれ設けられていることを特徴とする請求項１記載の表示装置構造。
【請求項３】
補強板立上り部が筐体立上り部と所定の間隔を有し略平行になるように補強板が背面筐体に取り付けられることを特徴とする請求項１記載の表示装置構造。
【請求項４】
筐体立上り部と補強板立上り部との間隔は、第１の筐体平面部内面側と第２の筐体平面部内面側との段差と略等しいか、もしくは前記段差の２倍以内であることを特徴とする請求項３記載の表示装置構造。
【請求項５】
表示装置と背面筐体の間に前記表示装置を制御する制御回路基板を有し、前記制御回路基板は、前記背面筐体の略左右対称の位置にそれぞれ設けられた補強板の間に配置されていることを特徴とする請求項２記載の表示装置構造。
【発明の詳細な説明】
【技術分野】
【０００１】
本発明は、携帯型情報処理装置などの平板状表示装置を有する電子機器の表示装置構造に関するものである。
【背景技術】
【０００２】
近年、液晶表示装置などの平板状表示装置を有するノートパソコンのような携帯型情報処理装置において、その携帯性を高めるため、装置自体の薄型・軽量化が進んでいる。
【０００３】
一方では、携帯型情報処理装置の機械的強度の向上も要求されている。特に液晶表示装置などは衝撃を受けた場合に破損しやすいため、液晶表示装置が収納される背面筐体に強度が要求される。このため、背面筐体の強度を確保させるための構造が工夫されている。
【０００４】
図３は、従来の表示装置構造の外観を示す斜視図、図４は、その断面図である。図において、２１は液晶表示装置、２２は液晶表示装置２１の表示面側筐体、２３は液晶表示装置２１の背面筐体、２４は、液晶表示装置２１のバックライトのためのインバータなどの制御回路基板である。背面筐体２３は、平面部２３ａと段差を有する平面部２３ｂとの間に立上り部２３ｃを設け、平面部２３ｂと立上り部２３ｃを平面部２３ａの左右に配置することにより、中央部を凸状に隆起させている。そして、インバータなどの制御回路基板２４は液晶表示装置２１と背面筐体２３によって形成された空間に配置収納される。
【０００５】
上記構成とすることにより、背面筐体２３の基本肉厚を薄くした場合でも、外力に対しての耐久力を向上させ、軽量化を図ることができる。
【０００６】
なお、背面筐体の形状を工夫した表示装置構造に関する特許文献としては下記のものがある。
【特許文献１】特開２０００−３１１０３４号公報
【発明の開示】
【発明が解決しようとする課題】
【０００７】
このような上記従来の表示装置構造においては、下記に挙げる課題があった。
【０００８】
（１）平面部に段差を設けることにより、背面筐体の強度は増加しているが、筐体の薄肉化による軽量化といった観点から、今後は、ますます強度が低下していく方向にあるため、さらなる強度アップが必要である。
【０００９】
（２）背面筐体全体としての強度は確保されるが、意匠的な観点から段差間をある程度広く取る必要があり、背面筐体の中央部が特に図４における筐体の平面部上方（Ａ方向）からの外力によって局所的に押圧された場合、背面筐体が内側にたわむという現象が生じる。これによって、中央部に形成された空間に配置された制御回路基板等を加圧し、これらがさらに内部の液晶表示装置へ荷重を加えてしまうことになる。また、インバータなどの制御回路基板にはトランス・コイルなど、加圧により壊れてしまう部品が実装されており、この際にこれらの部品の破壊等とあわせて、液晶表示装置内にある部品同士の摩擦を引き起こし、部品を損傷させてしまうことになる。
【００１０】
（３）背面筐体がダイカストなどの場合、段差の立上り部の肉厚のみ増加させて補強させる方法もあるが、肉厚の差が大きいと、湯流れのバランスが崩れ、成形できなくなる。また、背面筐体が金属板のプレス加工などの場合には、部分的な肉厚補強を実施することができない。また、いずれにしてもそのまま肉厚を厚くして強度を増そうとする場合、背面筐体の重量が大きくなり、携帯型情報処理装置の薄型・軽量化の方向に反することになる。
【００１１】
本発明は、背面筐体の重量増を少なくしつつ、局所的な外力にも強く、液晶表示装置と背面筐体との間に配置されたインバータなどの制御回路基板や液晶表示装置内にある部品を保護することが可能な表示装置構造を提供することを目的とする。
【課題を解決するための手段】
【００１２】
この課題を解決するために本発明の表示装置構造は、表示装置が収納される背面筐体と、背面筐体を補強する補強板とを備え、背面筐体は、第１の筐体平面部と、第１の筐体平面部と段差を有する第２の筐体平面部と、第１の筐体平面部と第２の筐体平面部との間に設けられる筐体立上り部とを有し、補強板は、第１の補強板平面部と段差を有する第２の補強板平面部と、第１の補強板平面部と第２の補強板平面部との間に設けられる補強板立上り部とを有し、第１の補強板平面部と第２の補強板平面部は、筐体立上り部内面側と補強板立上り部とが所定の間隔が空くように、第１の筐体平面部と第２の筐体平面部の内面側にそれぞれ固定するようにしたものである。
【発明の効果】
【００１３】
本発明の表示装置構造によれば、筐体のより薄肉化により軽量化を狙っていく際に、課題となる背面筐体の強度低下を防いで、より強い構造とし、インバータなどの制御回路基板に実装された加圧に弱い部品や液晶表示装置内にある部品に荷重が加わることを防ぎ、保護することができるという有利な効果が得られる。
【発明を実施するための最良の形態】
【００１４】
本発明の請求項１に記載の発明は、前面に表示面を有する表示装置と、表示装置が収納される背面筐体と、前記背面筐体を補強する補強板とを備え、前記背面筐体は、第１の筐体平面部と、前記第１の筐体平面部と段差を有する第２の筐体平面部と、前記第１の筐体平面部と前記第２の筐体平面部との間に設けられる筐体立上り部とを有し、前記補強板は、第１の補強板平面部と段差を有する第２の補強板平面部と、前記第１の補強板平面部と前記第２の補強板平面部との間に設けられる補強板立上り部とを有し、前記第１の補強板平面部と前記第２の補強板平面部は、前記筐体立上り部内面側と前記補強板立上り部とが所定の間隔が空くように、前記第１の筐体平面部と前記第２の筐体平面部の内面側にそれぞれ固定することを特徴とする表示装置構造であり、補強板立上り部と筐体立上り部との間に空間を空けた位置に配置することによって背面筐体の強度を大きくできるという作用を有する。
【００１５】
請求項２に記載の発明は、請求項１記載の表示装置構造において、第２の筐体平面部および筐体立上り部が第１の筐体平面部を挟み背面筐体の略左右対称の位置に配置され、補強板がそれぞれ設けられていることを特徴とするもので、背面筐体にねじれなどの応力が生じにくい。
【００１６】
請求項３に記載の発明は、請求項１記載の表示装置構造において、補強板立上り部が筐体立上り部と所定の間隔を有し略平行になるように補強板が背面筐体に取り付けられることを特徴とするもので、筐体立上り部を均一に補強することができるという作用を有する。
【００１７】
請求項４に記載の発明は、請求項３記載の表示装置構造において、筐体立上り部と補強板立上り部との間隔は、第１の補強板平面部と第２の補強板平面部との段差と略等しいか、もしくは前記段差の２倍以内であることを特徴とするもので、筐体平面部上方からの外力に強いという作用を有する。
【００１８】
請求項５に記載の発明は、請求項１記載の表示装置構造において、表示装置と背面筐体の間に前記表示装置を制御する制御回路基板を有し、前記制御回路基板は、前記背面筐体の略左右対称の位置にそれぞれ設けられた補強板の間に配置されていることを特徴とし背面筐体のたわみが少なく、制御回路基板の保護とともに、表示装置内にある部品も保護することができるという作用を有する。
【００１９】
以下に、本発明の実施の形態を図１から図２を用いて説明する。
【００２０】
（実施の形態１）
図１は、本発明の一実施の形態の表示装置構造を示す分解斜視図、図２は断面図である。図において、１は液晶表示装置、２は液晶表示装置１の表示面側筐体で、液晶表示面部分は開口となっている。３は液晶表示装置１の背面にある、外力から液晶表示装置１等を保護するための背面筐体、４は、液晶表示装置１のバックライトのためのＦＬ管（図示せず）へ電流を供給させるインバータなどの制御回路基板である。５は補強板で、背面筐体３を補強する役割をもっている。補強板５は、背面筐体３の筐体立上り部３ｃの内面側と補強板立上り部５ｃとの間に間隔Ｌ１を空けて背面筐体に取り付けられている。
【００２１】
背面筐体３は、軽量化と強度の面からマグネシウム合金等の成形品が使用され、略矩形状をしており、筐体平面部３ａを間に略平行な段差を有する筐体平面部３ｂがそれぞれ筐体立上り部３ｃを経て左右対称の位置に設けられている。また、補強板５の配置位置は、間隔Ｌ１が筐体平面部３ａと筐体平面部３ｂとの内面側の段差Ｌ２より大きく、且つ段差Ｌ２の２倍以下であることが強度上望ましい。また、段差の筐体立上り部３ｃの傾斜は、筐体平面部３ａまたは筐体平面部３ｂの平面に対して４５〜９０°が、成形性と強度の面で望ましい。最適な数値は、表示装置構造が求められる、全体の大きさ、厚み、重量、強度の面等から決定される。
【００２２】
補強板５は、背面筐体３の筐体平面部３ａおよび筐体平面部３ｂの内面側に補強板平面部５ａおよび補強板平面部５ｂが固定される。
【００２３】
そして、インバータなどの制御回路基板４は筐体立上り部３ｃと補強板５によって補強されたスペースに配置収納される。
【００２４】
以上のように構成された本実施の形態の表示装置構造について説明する。
【００２５】
背面筐体３は、筐体立上り部３ｃによる補強効果に加え補強板５をほぼ最適な位置に設けたため、面強度は従来に比べ大幅にアップしている。特に筐体立上り部３ｃ近傍についてのスペースは特に強固となっている。この部分に筐体の平面部上方（Ｂ方向）から外力を加えてもたわみはほとんど生じない。このため、本部分に、加圧に弱い部品を実装しているインバータなどの制御回路基板４等を配置することにより、制御回路基板４等が加圧され変形して表示装置１に荷重が加わるということがなく、制御回路基板４自身に実装された加圧に弱い部品や、表示装置１内の部品に破壊・キズ等を発生させることもない。
【００２６】
また、筐体立上り部３ｃおよび補強板５が背面筐体３の左右対称の位置に設けられているため、背面筐体３にねじれなどの応力が生じにくい。
【００２７】
このように、背面筐体の筐体立上り部と補強板との間に間隔（空間）を設けることにより、ボックス構造が形成されるため、補強板によるわずかな重量増はあるが、重量増に比較して背面筐体の大幅な強度の向上を図ることができる。
【００２８】
なお、本実施の形態では、背面筐体をマグネシウム合金等の成形品としたが、材質を特に限定するものではなく、成形品ではなく、金属板のプレス加工であってもよい。
【産業上の利用可能性】
【００２９】
本発明の表示装置構造は、より筐体の薄肉化による軽量化を狙っていく際に、課題となる背面筐体の強度について、形状により強度低下を防いで、より強い構造とし、加圧に弱い部品が実装された制御回路基板や表示装置内にある部品に荷重が加わることを防ぎ、保護することができ、携帯型情報処理装置などの平板状表示装置を有する電子機器の表示装置構造として有用である。
【図面の簡単な説明】
【００３０】
【図１】本発明の一実施の形態の表示装置構造を示す分解斜視図
【図２】本発明の一実施の形態の表示装置構造の断面図
【図３】従来の表示装置構造の外観を示す斜視図
【図４】従来の表示装置構造を示す断面図
【符号の説明】
【００３１】
１  液晶表示装置
２  表示面側筐体
３  背面筐体
３ａ、３ｂ  筐体平面部
３ｃ  筐体立上り部
４  制御回路基板
５  補強板
５ａ、５ｂ  補強板平面部
５ｃ  補強板立上り部
【図１】
2006189543.tif 000003
【図２】
2006189543.tif 000004
【図３】
2006189543.tif 000005
【図４】
2006189543.tif 000006